(57)【特許請求の範囲】
【請求項１】
掛かり止めを構成する突起部及び一端側に嵌合凸部が設けられた第一の部材と、上記突起部を嵌合させて掛かり止めを構成する凹陥部及び一端側に嵌合凹部が設けられた第二の部材から構成される取付構造において、
上記第二の部材には上記凹陥部よりも他端側にガイド窪み部が形成されていて、このガイド窪み部は、上記第二の部材のうちガイド窪み部に上記突起部を落とし込んでから上記第二の部材の一端側に向かって上記第一の部材を相対的にスライドさせることにより上記突起部が上記凹陥部に嵌り込んで掛かり止めを構成すると共に、
上記ガイド窪み部は、湾曲面を有して窪んでいる、
ことを特徴とする取付構造。
【請求項２】
前記ガイド窪み部は、前記突起部のスライドを妨げないように、このスライド方向に対して傾斜して設けられていることを特徴とする請求項１記載の取付構造。
【請求項３】
前記第一の部材の他端側には他端凹部が形成されていると共に、前記第二の部材の他端側には他端凸部が形成されていて、前記第二の部材に対して前記第一の部材をスライドさせて前記突起部が前記凹陥部に嵌り込んで掛かり止めを構成した場合に、これら他端凹部と他端凸部も嵌合するように設けられていることを特徴とする請求項１又は２記載の取付構造。
【請求項４】
前記第二の部材には前記第一の部材を嵌め込むための一端が開放した長孔が形成されており、この長孔には幅方向に突出して幅狭となる段差形状のスライドガイド部が形成されていて、このスライドガイド部に前記凹陥部及び前記ガイド窪み部が形成されていることを特徴とする請求項１から３のいずれか１項に記載の取付構造。
【請求項５】
前記第一の部材は、透明部材であることを特徴とする請求項１から４のいずれか１項に記載の取付構造。
【請求項６】
前記第二の部材は、オーディオ装置における取付構造としてのカセット収納部を構成するパネル体であると共に、前記第一の部材はこのパネル体に取り付けられるフロントグラスであることを特徴とする請求項１から５のいずれか１項に記載の取付構造。
【請求項７】
前記第一の部材には前記第二の部材を嵌め込むための一端が開放した長孔が形成されており、この長孔には幅方向に突出して幅狭となる段差形状のスライドガイド部が形成されていて、このスライドガイド部に前記凹陥部及び前記ガイド窪み部が形成されていることを特徴とする請求項１から３のいずれか１項に記載の取付構造。
【請求項８】
前記第二の部材は、透明部材であることを特徴とする請求項１から４のいずれか１項に記載の取付構造。
【請求項９】
前記第一の部材は、オーディオ装置における取付構造としてのカセット収納部を構成するパネル体であると共に、前記第二の部材はこのカセット収納部に取り付けられるフロントグラスであることを特徴とする請求項１から５のいずれか１項に記載の取付構造。
【請求項１０】
掛かり止めを構成する突起部及び一端側に嵌合凸部が設けられた第一の部材と、上記突起部を嵌合させて掛かり止めを構成する凹陥部及び一端側に嵌合凹部が設けられた第二の部材からなる取付構造を備えたオーディオ装置において、
上記第一の部材と上記第二の部材とは、互いにスライドさせることにより嵌合取付されるものであって、
上記第二の部材には上記凹陥部よりも他端側にガイド窪み部が形成されていて、このガイド窪み部は、上記第二の部材のうちガイド窪み部に上記突起部を落とし込んでから上記第二の部材の一端側に向かって上記第一の部材をスライドさせることにより上記突起部が上記凹陥部に嵌り込んで掛かり止めを構成すると共に、
上記ガイド窪み部は、湾曲面を有して窪んでいる、
ことを特徴とするオーディオ装置。
【発明の詳細な説明】
【０００１】
本発明は、キャビネットの前面に存するカセット収納部のパネル体とフロントグラスの取付構造、及びこの取付構造を用いたオーディオ装置に関するものである。
【０００２】
【従来の技術】
カセット一体型のオーディオ装置においては、一般にキャビネットの前面に開閉式のカセット収納部を有したものがある。このタイプのオーディオ装置では、カセット収納部は下方で回動自在に支承されて開閉自在な構成を為している。
【０００３】
図６にカセット収納部を構成するパネル体５０の側断面図を示す。なお、この図においては、パネル体５０に対して後述するフロントグラス６０を取り付ける取付け方法についても、図６（Ａ）から図６（Ｂ）に従って説明する。パネル体５０は、パネル体５０から構成されるカセット収納部にカセットテープをセットしてパネル体５０を閉じた場合、外部からカセットテープの残量を把握可能とするために、透明部材としてのフロントグラス６０を有するのが一般的な構造である。
【０００４】
ここで、パネル体５０には、このパネル体５０を挿通するように形成された不図示の長孔が形成されており、この長孔の長手方向両側部分にはスライドガイド部が形成されている。スライドガイド部５１は、長孔を構成する平行な対向壁よりも幅が狭くなるように段形状に突出形成されている。
【０００５】
長孔に嵌め込まれるフロントグラス６０は、カセット収納部にセットされたカセットテープの残量を確認可能な透過面６１を有している。そして、この透過面６１の長手方向両側部には、スライドガイド部５１に接触する周壁面６２が、透過面６１と直交するように形成されている。
【０００６】
このようなフロントグラス６０をパネル体５０に嵌め込ませるため、パネル体５０には、この長手方向一端側に嵌合凹部５２が設けられている。また、この嵌合凹部５２に対応して、フロントグラス６０の長手方向一端側には嵌合凸部６２が形成されている。
【０００７】
周壁面６２の中途部分には、突起部６４が形成されている。また、スライドガイド部５１の中途部分には、突起部６４の形状に対応して嵌合可能な凹陥部５３が設けられている。上述の突起部６４は、嵌合凹部５２に嵌合凸部６３が嵌め込まれたときに、ちょうど凹陥部５３に嵌め込まれる位置に設けられた構成である。
【０００８】
ここで、パネル体５０の長孔にフロントグラス６０を嵌め込んで装着させる場合、まず嵌合凹部５２に嵌合凸部６３の先端側を嵌めて、フロントグラス６０を長手方向に撓ませながら強制的に突起部６４を凹陥部５３に引っ掛けて押し込む。それによって、パネル体５０の長孔にフロントグラス６０を装着している。
【０００９】
【発明が解決しようとする課題】
ところで、上述のごとき従来のフロントグラス６０の取り付け構造では、次のような問題がある。
すなわち、嵌合作業においては、フロントグラス６０を撓ませてから行っているため、無理に撓ませることによってフロントグラス６０が応力の限界を超えて破損してしまう、といった不具合が発生する場合がある。
【００１０】
また、嵌合作業時に一々撓ませる作業を伴うため、作業性が悪い。このため、オーディオ装置の生産性の向上に支障をきたす、といった問題も有している。
【００１１】
ここで、先願に係る特許出願では、以下のようなものがある。すなわち、大型増幅装置等の比較的重い筐体を持ち上げたり、ひっくり返したりすることなく安全かつ容易にフロントパネルを取り付けるための特開平１１−２６１２４６号公報に記載の発明や、ネジ止めを省略してコストダウンを図り、かつ外力によりフロントパネルが外れないフロントパネルの取付構造の提供を目的とする特開平１０−１４５０４８号公報に記載の発明、或いは簡単な構造でがたつくことなく確実に、かつ作業性良く樹脂成型品の取り付けを行うことを目的とした特開平１０−３０３５７０号公報に記載の発明がある。
【００１２】
しかしながら、いずれの構成もフロントグラス６０の嵌合時の作業性向上を狙ったものではなく、本発明の目的とは異なるものである。
【００１３】
本発明は上記のような課題に鑑み為されたもので、その目的とするところは、フロントグラスのパネル体に対する嵌合性を良好にした構造を有する取付構造及びこれを用いたオーディオ装置を提供することにある。
【００１４】
【課題を解決するための手段】
上記目的を達成するために、本発明は、掛かり止めを構成する突起部及び一端側に嵌合凸部が設けられた第一の部材と、突起部を嵌合させて掛かり止めを構成する凹陥部及び一端側に嵌合凹部が設けられた第二の部材から構成される取付構造において、第二の部材には凹陥部よりも他端側にガイド窪み部が形成されていて、このガイド窪み部は、第二の部材のうちガイド窪み部に突起部を落とし込んでから第二の部材の一端側に向かって第一の部材を相対的にスライドさせることにより突起部が凹陥部に嵌り込んで掛かり止めを構成すると共に、ガイド窪み部は、湾曲面を有して窪んでいる、こととしたものである。
【００１５】
このように構成したことで、ガイド窪み部に突起部を落とし込んでから第二の部材の一端側に向かって第一の部材をスライドさせることにより、突起部の凹陥部への嵌り込みがガイドされる。それによって、スライドのみの動作によって第一の部材と第二の部材とを嵌合取付けすることが可能となる。それによって、嵌合取付けの際の作業性が向上するものとなる。
また、従来必要とされていた第一の部材（又は第二の部材）を撓ませずに済むため、第一の部材（又は第二の部材）の破損を防止可能となる。
【００１６】
また、他の発明は、上述の発明に加えて更に、ガイド窪み部は、突起部のスライドを妨げないように、このスライド方向に対して傾斜して設けることとしたものである。
【００１７】
このため、ガイド窪み部に突起部を落とし込んでから第二の部材の一端側に向かって第一の部材をスライドさせた場合でも、ガイド窪み部がスライド方向に対して傾斜して設けられているため、良好にガイドされるようになる。
【００１８】
さらに、他の発明は、上述の各発明に加えて更に、第一の部材の他端側には他端凹部が形成されていると共に、第二の部材の他端側には他端凸部が形成されていて、第二の部材に対して第一の部材をスライドさせて突起部が凹陥部に嵌り込んで掛かり止めを構成した場合に、これら他端凹部と他端凸部も嵌合するように設けたものである。
【００１９】
このため、第一の部材と第二の部材との嵌合固定とが、スライド動作のみによって、さらに一層確実に行えるものとなる。
【００２０】
また、他の発明は、上述の発明に加えて更に、第二の部材には第一の部材を嵌め込むための一端が開放した長孔が形成されており、この長孔には幅方向に突出して幅狭となる段差形状のスライドガイド部が形成されていて、このスライドガイド部に凹陥部及びガイド窪み部が形成されることとしたものである。
【００２１】
このため、ガイド窪み部に突起部を落とし込んで、その後に第一の部材を長孔のスライドガイド部に従ってスライドさせれば、突起部が凹陥部に嵌り込んで掛かり止めが構成される。それによって、長孔に第一の部材が嵌り込む構成となり、長孔の長手方向に垂直な方向への第一の部材の移動が規制されるようになる。すなわち、第一の部材と第二の部材との嵌合固定が、一層確実なものとなる。
【００２２】
さらに、他の発明は、上述の各発明に加えて更に、第一の部材は、透明部材であることとしたものである。
【００２３】
このため、この第一の部材を介して、第二の部材で覆われて隠れている部材を認識することが可能となる。
【００２４】
また、他の発明は、上述の各発明に加えて更に、第二の部材は、オーディオ装置における取付構造としてのカセット収納部を構成するパネル体であると共に、第一の部材はこのカセット収納部に取り付けられるフロントグラスとしたものである。
【００２５】
このため、パネル体にフロントグラスを取り付ける場合の作業性が向上し、生産性が向上するものとなる。また、フロントグラスを撓ませて取り付けるといった作業工程をなくすることができるため、フロントグラスが破損することがなくなる。
【００２６】
さらに、他の発明は、第一の部材には第二の部材を嵌め込むための一端が開放した長孔が形成されており、この長孔には幅方向に突出して幅狭となる段差形状のスライドガイド部が形成されていて、このスライドガイド部に凹陥部及びガイド窪み部が形成されることとしたものである。
【００２７】
このため、ガイド窪み部に突起部を落とし込んで、その後に第二の部材を長孔のスライドガイド部に従ってスライドさせれば、突起部が凹陥部に嵌り込んで掛かり止めが構成される。それによって、長孔に第二の部材が嵌り込む構成となり、長孔の長手方向に垂直な方向への第二の部材の移動が規制されるようになる。すなわち、第一の部材と第二の部材との嵌合固定が、一層確実なものとなる。
【００２８】
また、他の発明は、上述の発明に加えて更に、第二の部材は、透明部材であることとしたものである。
【００２９】
このため、この第二の部材を介して、第一の部材で覆われて隠れている部材を認識することが可能となる。
【００３０】
さらに、他の発明は、上述の各発明に加えて更に、第一の部材は、オーディオ装置における取付構造としてのカセット収納部を構成するパネル体であると共に、第二の部材はこのカセット収納部に取り付けられるフロントグラスとしたものである。
【００３１】
このため、パネル体にフロントグラスを取り付ける場合の作業性が向上し、生産性が向上するものとなる。また、フロントグラスを撓ませて取り付けるといった作業工程をなくすることができるため、フロントグラスが破損することがなくなる。
【００３２】
また、他の発明は、掛かり止めを構成する突起部及び一端側に嵌合凸部が設けられた第一の部材と、突起部を嵌合させて掛かり止めを構成する凹陥部及び一端側に嵌合凹部が設けられた第二の部材からなる取付構造を備えたオーディオ装置において、第一の部材と第二の部材とは、互いにスライドさせることにより嵌合取付されるものであって、第二の部材には凹陥部よりも他端側にガイド窪み部が形成されていて、このガイド窪み部は、第二の部材のうちガイド窪み部に突起部を落とし込んでから第二の部材の一端側に向かって第一の部材をスライドさせることにより突起部が凹陥部に嵌り込んで掛かり止めを構成すると共に、ガイド窪み部は、湾曲面を有して窪んでいる、こととしたものである。
【００３３】
このように構成したことで、ガイド窪み部に突起部を落とし込んでから第二の部材の一端側に向かって第一の部材をスライドさせることにより、突起部の凹陥部への嵌り込みがガイドされる。それによって、スライドのみの動作によって第一の部材と第二の部材とを嵌合取付けすることが可能となる。それによって、オーディオ装置における第一の部材と第二の部材との間での嵌合取付けの際の作業性が向上し、オーディオ装置の生産性が向上するものとなる。
また、従来必要とされていた第一の部材（又は第二の部材）を撓ませずに済むため、第一の部材（又は第二の部材）の破損を防止可能となる。それによっても、オーディオ装置の生産コストの削減を図ることが可能となる。
【００３４】
【発明の実施の形態】
以下、本発明の一実施の形態について、図１から図４に基づいて説明する。
【００３５】
図１は、本発明のオーディオ装置１０の構成を示す図である。オーディオ装置１０の本体部１１は、その前面がキャビネット１２となっている。このキャビネット１２の下方には、開閉自在な取付構造としてのカセット収納部１３が設けられている。
【００３６】
カセット収納部１３は第二の部材（又は第一の部材）としてのパネル体１４を有していて、パネル体１４が外観上露出する部分である。また、カセット収納部１３には、通常は見えない不図示の支障部が下方に向かって突出形成されている。このため、この支障部を介してカセット収納部１３が回動自在に取り付けられていて、開閉動作を自在に行える構成となっている。
【００３７】
なお、カセット収納部１３が閉じている状態では、不図示のラッチ機構により閉状態を維持するように構成されているが、パネル体１４の上部の一端側に設けられた押し込み部１５を押すことにより、ラッチ機構のロック状態が解除されてカセット収納部１３が開く。それによって、カセット収納部１３に不図示のカセットテープをセットすることが可能となる。
【００３８】
図３に示すように、パネル体１４は、その露出面１４ａが長方形状に形成されているが、この露出面１４ａから本体部１１の内部に向かって貫通するように長孔１６が形成されている。長孔１６は、露出面１４ａの長辺に平行となるように形成されており、このうち長孔１６の一端部は、露出面１４ａの中途部で途切れるように形成されている。しかしながら、長孔１６の他端部は、長方形状の露出面１４ａの短辺を横切って形成されている。すなわち、長孔１６は、他端側が開放するように形成されている。
【００３９】
この長孔１６には、図２及び図４に示すように、第一の部材（又は第二の部材）としてのフロントグラス３０が嵌め込まれる。このため、パネル体１４には、長孔１６が形成されている長手方向に沿うように、フロントグラス３０のスライド取付をガイドするスライドガイド部１７が形成されている。スライドガイド部１７は、長孔１６を構成する内壁面１６ａから突出してその外観が段形状を為すように形成されている。すなわち、スライドガイド部１７が設けられている部分は、他の長孔１６を構成する内壁面１６ａよりも、その幅が狭くなる段形状を為している。
【００４０】
図４（Ａ）から図４（Ｃ）に、スライドガイド部１７、及びこのスライドガイド部１７によりスライドがガイドされて嵌合取付されるフロントグラス３０の断面形状を示す。スライドガイド部１７の一端側には、鉤状に形成された嵌合凹部１８が形成されている。嵌合凹部１８は、パネル体１４の露出面１４ａからパネル体１４の内方に向かって突出形成された当接部１８ａを有している。この当接部１８ａにより、フロントグラス３０のスライドを受け止めて、フロントグラス３０を位置決め固定する。
【００４１】
また、この当接部１８ａからスライドガイド部１７の摺接面１７ａに向かう方向には、凹部１９が形成されている。この凹部１９に、フロントグラス３０の嵌合凸部３１が嵌り込むことにより、フロントグラス３０の取り付けの一翼が担われることになる。
【００４２】
このような嵌合凹部１８に嵌合されるフロントグラス３０の一端側は、断面の外観形状が段差状を為すように形成されている。すなわち、フロントグラス３０の一端側には、フロントグラス３０のスライド方向に突出するように嵌合凸部３１が形成されている。そして、この嵌合凸部３１が凹部１９に嵌り込み、さらにフロントグラス３０の上面と嵌合凸部３１の間に存する段壁面３１ａが当接部１８ａに当接することによって、フロントグラス３０との取り付けの一翼が担われる構成となる。
【００４３】
また、フロントグラス３０は、例えばアクリル樹脂等のような透明性を有していて長手方向に撓むことが可能な弾性を有する透明部材から形成されている。しかしながら、アクリル樹脂以外にも、透明性及び撓める程度の弾性を有する材質であれば、如何なる材質を用いても構わない。このフロントグラス３０は、露出面１４ａと共にパネル体１４の外観を構成するものであり、外部からカセットテープのカセット収納部１３への存否、及びカセット収納部１３に収納されたカセットテープの残量を確認可能とするものである。このため、フロントグラス３０の取付表面は、透過面３２となっている。
【００４４】
フロントグラス３０には、長手方向に沿って周壁３３が形成されている。周壁３３は、透過面３２に対して略直交するように形成されている。しかしながら、透過面３２が曲面状に形成されている場合等においては、必ずしも透過面３２と直交するように形成されていなくても構わない。そして、この周壁３３のうち、透過面３２からの突出側の端面が、摺接面１７ａと対向する係合面３４となっている。
【００４５】
係合面３４の中途部分には、直角三角形状に形成された突起部３５が突出形成されている。突起部３５は、後述する凹陥部２０への嵌合をガイドするテーパ部３５ａと、テーパ部３５ａの突出端部からフロントグラス３０のスライド方向（係合面３４の方向）に直交する直交部３５ｂを有するように構成されている。また、パネル体１４のスライドガイド部１７の中途部分には、突起部３５の形状に対応して嵌合可能な凹陥部２０が設けられている。すなわち、凹陥部２０の形状は、ちょうど突起部３５を嵌め込むことが可能な形状に形成されている。
【００４６】
これら突起部３５と凹陥部２０とによって、嵌め込み方向と逆の方向への移動が行えない、掛かり止めが構成されている。
【００４７】
ここで、スライドガイド部１７には、凹陥部２０よりも他端側よりの位置にガイド窪み部２１が形成されている。このガイド窪み部２１は、摺接面１７ａの他の部分よりも湾曲面を有して窪むように形成されている。また、ガイド窪み部２１の最深部の窪み深さは、突起部３５をガイド窪み部２１に落とし込むことが可能な深さに形成されている。そして、ガイド窪み部２１の凹陥部２０側は、他の係合面３４と同程度の高さを有するように形成されている。
【００４８】
また、図４に示すように、パネル体１４の他端側にも、反転した段形状の他端凸部２２が設けられている。そして、この他端凸部２２に対応して、フロントグラス３０の他端側には他端凹部３６が設けられている。これら他端凸部２２及び他端凹部３６は、パネル体１４とフロントグラス３０の嵌合の一翼を担うものである。そして、嵌合凹部１８と嵌合凸部３１、及び突起部３５と凹陥部２０が嵌合したときに、これら他端凸部２２と他端凹部３６も係合するように構成されている。
【００４９】
以上のような構成を有するオーディオ装置のカセット収納部のパネル体に、フロントグラスを取り付ける取付方法について、以下に説明する。
【００５０】
まず、取り付けに際しては、図４（Ａ）に示すように突起部３５をガイド窪み部２１に位置させて、パネル体１４の摺接面１７ａと係合面３４とが接触するようにする。そして、この状態でフロントグラス２０を指で押さえながら、図４（Ｂ）に示すように、嵌合凹部１８側に向かってスライドさせる。すると、ガイド窪み部２１に位置していた突起部３５が、スライドの進行と共にガイド窪み部２１を上昇し、さらに進行すると図４（Ｃ）に示すように突起部３５が凹陥部２０に嵌り込む。
【００５１】
突起部３５が凹陥部２０に嵌り込むと、嵌合凸部３１が嵌合凹部１８に嵌合した状態となり、また他端凸部２２が他端凹部３６に嵌り込んだ状態となる。このため、パネル体１４とフロントグラス３０とは、確実に取付固定される状態となる。以上のような、簡易な操作でパネル体１４にフロントグラス３０を嵌合させることができる。
【００５２】
このような構成のオーディオ装置１０によると、ガイド窪み部２１に突起部３５を落とし込んで、その後にパネル体１４の一端側に向かってフロントグラス３０をスライドさせるのみで、突起部３５の凹陥部２０への嵌り込みがガイドされる。このため、スライドのみの動作によってフロントグラス３０をパネル体１４に容易に装着させることが可能となる。すなわち、パネル体１４に対するフロントグラス３０の嵌合取付けの際の作業性を向上させることができる。
【００５３】
また、従来のように、フロントグラス３０を撓ませる動作が不要となるため、フロントグラス３０を撓ませすぎて、この応力限界を超えて破損する、といった不具合を防止することが可能となる。このように、フロントグラス３０の破損を防止することにより、生産コストの低減を図ることが可能となる。
【００５４】
さらに、パネル体１４の他端側に他端凸部２２を設けると共に、この他端凸部２２と嵌合する他端凹部３６をフロントグラス３０の他端側に設ける構成とすることにより、パネル体１４へのフロントグラス３０の嵌合固定がスライドのみの動作によって、一層確実な安定したものとすることができる。
【００５５】
また、フロントグラス３０は、パネル体１４に形成された長孔１６にスライドさせて差し込んでから取付固定する構成である。このため、フロントグラス３０は、内壁面１６ａによりフロントグラス３０のスライド方向と直交する向きへの移動が規制されることになり、パネル体１４とフロントグラス３０との嵌合固定が一層容易に行うことができる。
【００５６】
また、フロントグラス３０は、透明部材であるため、カセット収納部１３に収納されたカセットテープの存否やテープ残量を、外部から容易に認識することが可能となる。
【００５７】
以上、本発明の一実施の形態について述べたが、本発明はこれ以外にも種々変形可能となっている。以下、それについて述べる。
【００５８】
上述の実施の形態では、凹陥部２０をスライドガイド部１７に形成する構成について述べたが、スライドガイド部１７の高さが場所によって異なる場合は、凹陥部２０のように窪んだ部分とせず、突起部３５と同様な直角三角形状のパネル側突起体をスライドガイド部１７に設ける構成としても構わない。この場合は、突起部３５の垂直辺とパネル突起体の垂直辺とがぶつかることにより、掛かり止めが構成されることになる。
【００５９】
また、上述の実施の形態では、パネル体１４にガイド窪み部２１を形成する構成について述べたが、図５に示すように、フロントグラス３０にガイド窪み部２１を形成する構成としても構わない。フロントグラス３０にガイド窪み部２１を形成する場合は、凹陥部２０もフロントグラス３０に形成し、突起部３５はパネル体１４のスライドガイド部１７に形成する構成にする。
【００６０】
そして、ガイド窪み部２１は、凹陥部２０よりも嵌合凸部３１側に形成する。すなわち、図２及び図４に示したパネル体１４とフロントグラス３０を、紙面を反転させてパネル体１４とフロントグラス３０とを取り替えた構成が、図５に示す取付構造である。このようにしても、上述の実施の形態で述べた構成と同様の作用効果を生じさせることが可能となる。
【００６１】
なお、パネル体１４に対するフロントグラス３０の取付手順は、図４に示した例と同様であり、その様子を図５（Ａ）から図５（Ｃ）に示す。
【００６２】
【発明の効果】
本発明によれば、ガイド窪み部に突起部を落とし込んでから第二の部材の一端側に向かって第一の部材をスライドさせることにより、突起部の凹陥部への嵌り込みがガイドされる。それによって、スライドのみの動作によって第一の部材と第二の部材とを嵌合取付けすることが可能となる。それによって、嵌合取付けの際の作業性が向上するものとなる。
また、従来必要とされていた第一の部材（又は第二の部材）を撓ませずに済むため、第一の部材（又は第二の部材）の破損を防止可能となる。
【図面の簡単な説明】
【図１】本発明の一実施の形態に係わるオーディオ装置の構成を示す図である。
【図２】図１のオーディオ装置に用いられるカセット収納部のパネル体及びこのパネル体に嵌合されるフロントグラスの形状を示す断面斜視図である。
【図３】図１のオーディオ装置に用いられるカセット収納部のパネル体の形状を示す平面図である。
【図４】図１のオーディオ装置に用いられるパネル体とフロントグラスの嵌合の様子を示す側断面図であり、（Ａ）は嵌合前の状態を示す図であり、（Ｂ）は嵌合凹部に嵌合凸部の先端を引っ掛けた状態を示す図であり、（Ｃ）は嵌合された状態を示す図である。
【図５】図１のオーディオ装置に用いられるパネル体とフロントグラスの取付構造の変形例に係わる側断面図であり、（Ａ）は嵌合前の状態を示す図であり、（Ｂ）は嵌合凹部に嵌合凸部の先端を引っ掛けた状態を示す図であり、（Ｃ）は嵌合された状態を示す図である。
【図６】従来のパネル体に対するフロントグラスの取付構造を説明する図であり、（Ａ）は嵌合前の状態を示す図であり、（Ｂ）は嵌合凹部に嵌合凸部の先端を引っ掛けた状態を示す図であり、（Ｃ）は嵌合された状態を示す図である。
【符号の説明】
１０…オーディオ装置
１３…カセット収納部
１４…パネル体（第二の部材（又は第一の部材））
１６…長孔
１７…スライドガイド部
１８…嵌合凹部
２０…凹陥部
２１…ガイド窪み部
２２…他端凸部
３０…フロントグラス（第一の部材（又は第二の部材））
３１…嵌合凸部
３４…係合面
３５…突起部
３６…他端凹部
【図１】
0003776671.tif 000002
【図２】
0003776671.tif 000003
【図３】
0003776671.tif 000004
【図４】
0003776671.tif 000005
【図５】
0003776671.tif 000006
【図６】
0003776671.tif 000007